(57)【要約】【課題】現行の梱包資材を変更することなく、缶製品に所望の景品等の付属品を取付けることができる缶用付属品取付け器具及びそれを缶製品に取付ける取付け装置を提供する。【解決手段】器具１００は、上蓋１０と下蓋２０とを備えている。上蓋１０は、飲料缶５０の巻き締め縁部５４を含む上面側を覆う上底面１１と、上底面１１の周縁に形成された筒状の側面１２等とを備えており、側面１２は、その内周側に突出して、噛み締め部５５と係合する突起部１３を有し、この突起部１３は、上底面１１からの距離が、巻き締め縁部５４の上端部と噛み締め部５５との距離と略同一である位置に、所定間隔で複数形成されている。下蓋２０は、その内部に所望の景品Ａを収納する収納部２２が形成された下底面２１を備え、収納部２２は、その高さ部分である側部２２ａの幅が巻き締め縁部５４の高さ部分である側壁５４ａよりも小さい。【選択図】図１
0003108964.tif 000002
【実用新案登録請求の範囲】
【請求項１】
缶状容器の巻き締め縁部を含む頂部側を覆う底面と、前記底面の周縁に形成された筒状の側面と、前記側面の内周側に突出し、前記底面との距離が、前記巻き締め縁部の上端部と前記巻き締め縁部の外周側に形成された噛み締め部との距離と略同一であり、前記噛み締め部と係合する第１係合部と、を有する第１蓋部材と、
その内部に所望の付属品を収納し、その高さ部分が前記巻き締め縁部の高さ部分よりも小さい収納部を有し、前記第１蓋部材と係合する第２蓋部材と、
を備えた缶用付属品取付け器具。
【請求項２】
請求項１に記載の缶用付属品取付け器具において、
前記第２蓋部材は、その高さ部分が前記収納部の高さ部分よりも小さい凹部を有し、
前記第１蓋部材は、前記凹部に対応する位置に形成され、前記凹部と係合する第２係合部を有すること、
を特徴とする缶用付属品取付け器具。
【請求項３】
請求項１又は請求項２に記載の缶用付属品取付け器具を、前記缶状容器に取付ける取付け装置であって、
その下方に開口部を有し、前記缶用付属品取付け器具を収納する収納部と、
前記収納部に収納された前記缶用付属品取付け器具を吸引して、前記開口部から落下させて支持すると共に、前記缶状容器の頂部側を覆うように前記缶用付属品取付け器具を配置する支持部と、
前記缶用付属品取付け器具が前記開口部から前記支持部に落下するときの落下速度を、３００〜１０００ｃｍ／ｍｉｎに調整する落下速度調整部と、
前記支持部により前記缶状容器の頂部側に配置された前記缶用付属品取付け器具を、前記缶状容器の頂部側に、５００〜５０００ｇｆの押付け力で押付ける押付部と、
を備えた取付け装置。
【考案の詳細な説明】
【技術分野】
【０００１】
本考案は、飲料缶や缶詰等の缶製品に、所望の景品等の付属品を取付ける缶用付属品取付け器具及びそれを缶製品に取付ける取付け装置に関するものである。
【背景技術】
【０００２】
従来、この種の缶用付属品取付け器具は、缶製品に景品等の付属品を取付けるときに用いられる器具であって、例えば、ストロー等の付属品が収納された包装体をオーバーキャップ内に収めたものが知られている（例えば、特許文献１）。
【０００３】
しかし、このオーバーキャップは、その内部に包装体を収めているので、ある程度の高さが必要であった。
そのため、飲料缶は、オーバーキャップが飲料缶の頂部（上面）に取付けられることにより、その高さが変わってしまい、通常の梱包用ダンボール等の梱包資材で梱包したり、自動販売機、冷蔵ケース等に格納することが困難であった。
このため、オーバーキャップが取付けられた飲料缶では、例えば、輸送するときの梱包形態が煩雑になり、さらに、通常の自動販売機、冷蔵ケース等に格納できず、流通経路が制限される場合があった。
【０００４】
また、オーバーキャップが取付けられた飲料缶では、その上部に圧力が加わると、オーバーキャップが潰れる等して変形してしまい、商品価値を損なってしまうという問題があった。
【０００５】
さらに、このオーバーキャップは、飲料缶に取付けるときに変形しないように、手作業で飲料缶に取付けられるので、オーバーキャップ付きの飲料缶を生産するコストが人件費等により上昇したり、生産性が低下する等の問題があった。
【０００６】
【特許文献１】特開２００１−１４９２０３号公報
【考案の開示】
【考案が解決しようとする課題】
【０００７】
本考案の課題は、現行の梱包資材を変更することなく、缶製品に所望の景品等の付属品を取付けることができる缶用付属品取付け器具及びそれを缶製品に取付ける取付け装置を提供することである。
【課題を解決するための手段】
【０００８】
本考案は、以下のような解決手段により、前記課題を解決する。なお、理解を容易にするために、本考案の実施例に対応する符号を付して説明するが、これに限定されるものではない。
請求項１の考案は、缶状容器（５０）の巻き締め縁部（５４）を含む頂部側を覆う底面（１１）と、前記底面（１１）の周縁に形成された筒状の側面（１２）と、前記側面（１２）の内周側に突出し、前記底面（１１）との距離が、前記巻き締め縁部（５４）の上端部と前記巻き締め縁部（５４）の外周側に形成された噛み締め部（５５）との距離と略同一であり、前記噛み締め部（５５）と係合する第１係合部（１３）と、を有する第１蓋部材（１０）と、その内部に所望の付属品（Ａ）を収納し、その高さ部分（２２ａ）が前記巻き締め縁部（５４）の高さ部分（５４ａ）よりも小さい収納部（２２）を有し、前記第１蓋部材（１０）と係合する第２蓋部材（２０）と、を備えた缶用付属品取付け器具である。
【０００９】
請求項２の考案は、請求項１に記載の缶用付属品取付け器具において、前記第２蓋部材（２０）は、その高さ部分が前記収納部（２２）の高さ部分（２２ａ）よりも小さい凹部（２３ａ，２３ｂ）を有し、前記第１蓋部材（１０）は、前記凹部（２３ａ，２３ｂ）に対応する位置に形成され、前記凹部（２３ａ，２３ｂ）と係合する第２係合部（１４ａ，１４ｂ）を有すること、を特徴とする缶用付属品取付け器具である。
【００１０】
請求項３の考案は、請求項１又は請求項２に記載の缶用付属品取付け器具（１００）を、前記缶状容器（５０）に取付ける取付け装置であって、その下方に開口部（２１０ａ）を有し、前記缶用付属品取付け器具（１００）を収納する収納部（２１０）と、前記収納部（２１０）に収納された前記缶用付属品取付け器具（１００）を吸引して、前記開口部（２１０ａ）から落下させて支持すると共に、前記缶状容器（５０）の頂部側を覆うように前記缶用付属品取付け器具（１００）を配置する支持部（２３０）と、前記缶用付属品取付け器具（１００）が前記開口部（２１０ａ）から前記支持部（２３０）に落下するときの落下速度を、３００〜１０００ｃｍ／ｍｉｎに調整する落下速度調整部（２５０）と、前記支持部（２３０）により前記缶状容器（５０）の頂部側に配置された前記缶用付属品取付け器具（１００）を、前記缶状容器（５０）の頂部側に、５００〜５０００ｇｆの押付け力で押付ける押付部（２６０）と、を備えた取付け装置である。
【考案の効果】
【００１１】
（１）本考案の缶用付属品取付け器具は、第１蓋部材の側面の内周側に突出した第１係合部が、底面からの距離が缶状容器の巻き締め縁部の上端部と噛み締め部との距離と略同一である位置に形成されているので、第１係合部が噛み締め部と係合したときに、第１蓋部材の底面を缶状容器の巻き締め縁部の上端部の近傍に位置させることができる。
また、第２蓋部材は、その高さ部分が巻き締め縁部の高さ部分よりも小さい収納部を有するので、第２蓋部材と第１蓋部材とが係合した状態で、第１係合部が噛み締め部と係合したときに、収納部の底部が缶状容器の頂部側の端面と接触することがなく、第２蓋部材が第１蓋部材の底面を上方に押上げることがない。
すなわち、缶用付属品取付け器具によれば、缶状容器に所望の付属品を取付けた場合に、第１蓋部材の底面と缶状容器の底部との距離（すなわち、缶用付属品取付け器具を含む缶状容器の高さ）を、缶状容器の巻き締め縁部の上端部と缶状容器の底部との距離（すなわち、缶状容器の高さ）と略同一にすることができる。
そのため、缶用付属品取付け器具が取付けられた缶状容器は、現行の梱包資材で梱包することができる。
【００１２】
（２）第１蓋部材は、その高さ部分が収納部の高さ部分よりも小さい凹部と係合する第２係合部を有するので、第１蓋部材と第２蓋部材とを係合することができ、さらに、第２蓋部材の凹部が缶状容器の頂部側の端面と接触することがない。
【００１３】
（３）本考案の取付け装置は、缶用付属品取付け器具を吸引して、収納部の開口部から支持部に落下させるときの落下速度を３００〜１０００ｃｍ／ｍｉｎとしたので、缶用付属品取付け器具の重量が付属品の種類により変化したとしても、缶用付属品取付け器具を支持部に確実に支持させることができる。
また、支持部によって缶状容器の頂部側を覆うように配置された缶用付属品取付け器具を、缶状容器の頂部側に５００〜５０００ｇｆの押付け力で押付けるようにしたので、缶用付属品取付け器具を変形させることなく、缶状容器に取付けることができる。
【考案を実施するための最良の形態】
【００１４】
本考案は、現行の梱包資材を変更することなく、缶製品に所望の景品や付属品を取付けるという目的を、筒状の側面の内周側に突出して、巻き締め縁部の外周側に形成された噛み締め部と係合し、底面からの距離が缶状容器の巻き締め縁部の上端部と噛み締め部との距離と略同一である第１係合部を有する第１蓋部材と、その高さ部分が巻き締め縁部の高さ部分よりも小さい収納部を有する第２蓋部材とを備えることによって実現する。
【実施例】
【００１５】
以下、図面等を参照して、本考案の実施例について、さらに詳しく説明する。
図１は、本考案による缶用付属品取付け器具の実施例を示す図である。なお、図１では、説明の便宜上、缶用付属品取付け器具を分解した状態で示すと共に、この缶用付属品取付け器具が取付けられる飲料缶も示す。
缶用付属品取付け器具（以下、器具という）１００は、飲料缶５０に所望の景品Ａ等の付属品を取付ける器具であって、上蓋１０と、景品Ａが収納される下蓋２０等とを備えている。
飲料缶５０は、例えば、タクル缶や３ピース缶であって、その上面に開口部５１ａを有する円筒状の本体５１と、略中央にプルトップ５２が形成された円板状の上面板５３等とからなり、本体５１の開口部５１ａに上面板５３を被せ、この上面板５３の周縁を開口部５１ａの周縁５１ｂに巻き締めることにより一体に形成されている。
この上面板５３は、その周縁が巻き締め縁部５４となり、この巻き締め縁部５４の外周側には、噛み締め部５５が形成されている。なお、巻き締め縁部５４は、周縁５１ｂに沿った側壁５４ａを有し、この側壁５４ａの幅（すなわち、巻き締め縁部５４の上端部と上面板５３との距離）が巻き締め縁部５４の高さ部分となる。
【００１６】
図２は、本実施例による器具１００の上蓋１０を示す概略図である。なお、図２（ａ）は上面図であり、図２（ｂ）は側面図である。
上蓋１０は、例えば、上底面１１と、上底面１１の周縁に形成された筒状の側面１２等とを備えている。また、上蓋１０は、透明であって、耐熱性を高めるためにガラス繊維強化ポリエチレンテレフタレート（以下、Ｇ−ＰＥＴという）で形成されている。
上底面１１は、飲料缶５０の巻き締め縁部５４を含む頂部（上面）側を覆うように、円形状に形成されており、具体的な寸法は、直径約５４ｍｍである。上底面１１は、後述する下蓋２０の下底面２１に形成された凹部２３ａ，２３ｂに対応する位置に、この凹部２３ａ，２３ｂと係合する凸部１４ａ，１４ｂが形成されている。
【００１７】
側面１２は、その内周側に突出して、噛み締め部５５と係合する突起部１３を備えている。突起部１３は、巻き締め縁部５４の上端部と噛み締め部５５との距離と略同一距離だけ上底面１１から離れた位置に、所定間隔で複数形成されている。
また、側面１２は、例えば、上底面１１から約６．５ｍｍ離れた位置に、下端部１５が形成されており、この下端部１５は、外周側に僅かに拡がっている（図４参照）。
【００１８】
図３は、本実施例による器具１００の下蓋２０を示す概略図である。なお、図３（ａ）は上面図であり、図３（ｂ）は側面図である。
下蓋２０は、上蓋１０の上底面１１と略同一形状である下底面２１を備えている。また、下蓋２０は、不透明（例えば、白色）であって、耐熱性を高めるためにＧ−ＰＥＴで形成されている。
下底面２１は、その内部に所望の景品Ａ（図１参照）を収納する収納部２２が形成されている。
収納部２２は、景品Ａが収納される空間を規定する側部２２ａと底部２２ｂとからなり、具体的な寸法は、側部２２ａの幅は約３．０ｍｍであり、底部２２ｂの長手方向の幅は約３５ｍｍである。なお、景品Ａは、収納部２２に収納可能であれば、携帯ストラップ等、適宜のものであってもよく、例えば、景品Ａに当たり外れ等の要素があるときには、不透明な袋体に収納するようにしてもよい。
この側部２２ａの幅は、収納部２２の高さ部分となり、巻き締め縁部５４の高さ部分である側壁５４ａの幅よりも小さい。
【００１９】
下底面２１は、収納部２２の近傍に、その高さ部分が収納部２２の側部２２ａの幅よりも小さい凹部２３ａ，２３ｂが形成されている。この凹部２３ａ，２３ｂは、上蓋１０の上底面１１に形成された凸部１４ａ，１４ｂと係合する。
【００２０】
つぎに、器具１００が飲料缶５０に取付けられた状態について説明する。
図４は、本実施例による器具１００が飲料缶５０に取付けられた状態を示す図である。
景品付き缶１５０は、後述する取付け装置２００（図５参照）によって、器具１００が飲料缶５０に取付けられたものである。
器具１００は、上蓋１０の凸部１４ａ，１４ｂと、収納部２２に景品Ａを収納した下蓋２０の凹部２３ａ，２３ｂとを係合することにより生産される。
また、上蓋１０の凸部１４ａ，１４ｂと下蓋２０の凹部２３ａ，２３ｂとの係合は、例えば、組立時（器具１００を飲料缶５０に取り付けるとき）や、流通時（景品付き缶１５０を梱包するとき、梱包された景品付き缶１５０を輸送するとき、景品付き缶１５０を店舗等で販売するとき等）に、上蓋１０と下蓋２０とが外れず、かつ、景品付き缶１５０を購入した購入者等が景品Ａを容易に取り出すことができるように調整されている。
【００２１】
器具１００は、上蓋１０の側面１２に形成された突起部１３が、飲料缶５０の巻き締め縁部５４の外周側に形成された噛み締め部５５と係合することにより、飲料缶５０に取付けられる。
この突起部１３は、上述したように、上底面１１からの距離が巻き締め縁部５４の上端部と噛み締め部５５との距離と略同一である位置に形成されているので、突起部１３が噛み締め部５５と係合したときに、上底面１１は、巻き締め縁部５４の上端部付近に位置することになる。
【００２２】
また、下蓋２０は、収納部２２の側部２２ａが巻き締め縁部５４の側壁５４ａよりも小さいので、器具１００が飲料缶５０に取付けられたときに、収納部２２の底部２２ｂが飲料缶５０の上面板５３と接触することがなく、例えば、収納部２２の底部２２ｂと、上面板５３に形成されたプルトップ５２とが接触することがない。
このため、器具１００が飲料缶５０に取付けられたときに、下蓋２０が上蓋１０の上底面１１を上方に押上げて、上底面１１を変形させることがない。
【００２３】
したがって、本実施例の器具１００によれば、以下のような効果がある。
（１）飲料缶５０に景品Ａを取付けたときに、景品付き缶１５０の高さ（すなわち、上蓋１０の上底面１１と飲料缶５０の底部との距離）を、飲料缶５０の高さ（すなわち、飲料缶５０の巻き締め縁部５４の上端部と飲料缶５０の底部との距離）と略同一にすることができる。
このため、景品付き缶１５０は、飲料缶５０を梱包する現行の梱包用ダンボール等を用いて梱包することができ、それによって、特殊な梱包用ダンボール等の梱包資材を設計して生産する必要がなく、追加コストの発生を抑えることができる。
【００２４】
（２）上蓋１０は透明であり、下蓋２０は不透明であるので、器具１００に収納された景品Ａを、上蓋１０を介して視認することができる。
（３）景品付き缶１５０の高さは、飲料缶５０の高さと略同一であるので、通常の梱包資材での納品が可能であり、さらに、景品付き缶１５０を梱包した状態でコンテナ輸送するときに、上部から圧力が加わった場合であっても、変形して潰れることがなく、商品価値を損なうことがない。
（４）上蓋１０及び下蓋２０は、その材質がＧ−ＰＥＴであるので、現行の缶ウォーマー等で保温することができる。
【００２５】
（５）景品付き缶１５０の高さは、飲料缶５０の高さと略同一であるので、通常の自動販売機に格納することができ、さらに、上底面１１の側面１２に形成された突起部１３と飲料缶５０の噛み締め部５４とが係合しているので、自動販売機に格納された景品付き缶１５０を購入するときに、飲料缶５０から器具１００が外れることがない。
このため、景品付き缶１５０は、自動販売機で販売することができ、流通経路が限定されることがない。
（６）収納部２２の底部２２ｂとプルトップ５２とが接触しないので、衛生上好ましく、さらに、器具１００自体がカバーとなり、プルトップ５２を含む上面板５３が汚れることがない。
【００２６】
つぎに、器具１００を飲料缶５０に取付ける取付け装置について説明する。
図５は、本考案による取付け装置の実施例を示す図である。
取付け装置２００は、器具１００を飲料缶５０に取付ける装置であって、例えば、器具１００が充填されるストッカー２１０と、ストッカー２１０を固定する固定治具２１１と、回転基台２２０と、器具１００を吸引して支持する支持台２３０と、器具１００の落下速度を調整するブレーキ部２５０と、器具１００を飲料缶５０に押付けて固定する器具固定部２６０等とを備えている。
飲料缶５０は、ベルトコンベア６０上に複数載置されており、図中、矢印の方向に搬送される。
【００２７】
ストッカー２１０は、その下方に開口部２１０ａを備え、固定治具２１１により位置を固定されている。ストッカー２１０は、その内部に、景品Ａが収納された器具１００を複数積み上げた状態で充填することができる。
回転基台２２０は、不図示の回転軸に回転可能に支持されており、ベルトコンベア６０とストッカー２１０との間に配置されている。回転基台２２０は、その周縁に複数の支持台２４０を備えている。
【００２８】
支持台２４０は、回転基台２２０の回転軸に対して放射状に設けられており、その一端で器具１００を吸引して支持し、他端には、器具１００を吸引する吸引力を発生させる不図示の真空ポンプ等に接続された吸引部２４０が設けられている。
ブレーキ部２５０は、ストッカー２１０の開口部２１０ａの近傍に配置されており、圧縮空気を吐出して、器具１００がストッカー２１０から支持台２３０に落下するときの落下速度を調整する装置である。この落下速度は、３００〜１０００ｃｍ／ｍｉｎが好ましく、より好ましくは８００ｃｍ／ｍｉｎである。
【００２９】
ブレーキ部２５０は、器具１００の落下速度を３００〜１０００ｃｍ／ｍｉｎに調整したので、例えば、器具１００の総重量が景品Ａの種類により変化したとしても、器具１００が支持台２３０の一端に与える力を、所定値以下とすることができ、器具１００を支持台２３０の一端に確実に支持させることができる。なお、この所定値としては、１４０ｇｆ以下であることが好ましい。
【００３０】
器具固定部２６０は、ベルトコンベア６０に搬送された飲料缶５０から所定間隔を隔て、かつ、回転基台２２０よりも飲料缶５０の搬送方向側の位置に配置され、支持台２３０により飲料缶５０の上面側を覆うように配置された器具１００を、飲料缶５０に押付ける装置である。この器具固定部２６０が器具１００を押付ける押付け力は、５００〜５０００ｇｆが好ましく、より好ましくは１０００ｇｆである。
器具固定部２６０は、器具１００を飲料缶５０に５００〜５０００ｇｆの押付け力で押付けるようにしたので、器具１００が潰れる等して変形することなく、器具１００を飲料缶５０に取付けることができる。
【００３１】
つぎに、取付け装置２００の動作について説明する。
まず、器具１００は、支持台２３０の吸引部２４０により発生する吸引力によって、ストッカー２１０から支持台２３０に吸引される。このとき、器具１００は、ブレーキ部２５０により、その落下速度を調整された状態で支持台２３０に吸引される。
そして、支持台２３０は、その一端に器具１００を支持する。支持台２３０は、図中、矢印で示すように、回転基台２２０の反時計方向の回転に伴って、器具１００をベルトコンベア６０上に載置された飲料缶５０に接近させる。
【００３２】
支持台２３０は、回転基台２２０が回転軸を中心に約１８０°回転したときに、飲料缶５０に最も接近する。このとき、支持台２３０は、器具１００の吸引を停止する。そして、支持台２３０の一端に支持された器具１００は、支持台２３０から離れ、飲料缶５０の上面側を覆うように飲料缶５０に配置される。
その後、支持台２３０は、回転基台２２０の回転に伴い、その一端に器具１００を吸引して支持するために、再び、ストッカー２１０の開口部２１０ａに接近する。
【００３３】
器具１００が上面側に配置された飲料缶５０は、その状態のままで、ベルトコンベア６０によって、器具固定部２６０の下方付近まで搬送される。
そして、器具固定部２６０は、器具１００を飲料缶５０に押付けて、飲料缶５０に器具１００を取付け、これにより、上述した景品付き缶１５０が自動的に組立てられる。なお、回転基台２２０の回転速度は、適宜調整することができ、例えば、ベルトコンベア６０による飲料缶５０の搬送速度（すなわち、景品付き缶１５０の生産速度）を変更することなく、景品付き缶１５０を生産することができる。
【００３４】
このように、取付け装置２００によれば、以下のような効果がある。
（１）ベルトコンベア６０で搬送された飲料缶５０に器具１００を自動的に取付けることができるので、手作業に比べて生産コストを小さくでき、さらに、生産に要する時間を短縮できる。
（２）ブレーキ部２５０により器具１００の落下速度が調整されるので、器具１００に収納される景品Ａが変更され、器具１００の総重量が変化した場合であっても、器具１００を支持台２３０に確実に支持させることができる。
（３）ベルトコンベア６０による飲料缶５０の搬送速度を変更することなく、景品付き缶１５０を生産することができるので、景品付き缶１５０の生産速度が低下することがなく、さらに、その生産計画を容易に立案することができる。
（４）景品付き缶１５０を自動的に生産できるので、店舗等に器具１００を飲料缶５０に取付けるように依頼をすることがなくなり、店舗側の負担を軽減できる。
【００３５】
（変形例）
以上説明した実施例に限定されることなく、種々の変形や変更が可能であって、それらも本考案の均等の範囲内である。
（１）器具１００は、飲料缶５０に取付けるとしたが、これに限られず、側面１２に形成された突起部１３の位置と、収納部２２の側部２２ａの幅と、上底面１１と下底面１２の形状等とを調整して、食料の缶詰等、適宜の缶製品に器具１００を取付けるようにしてもよい。
（２）下蓋２０の凹部２３ａ，２３ｂは、上蓋１０の凸部１４ａ，１４ｂと係合できるのであれば、下底面２１の適宜の位置に形成してもよく、その数も限定されない。
（３）器具固定部２６０は、器具１００が上面側に配置された飲料缶５０を押付けるとしたが、例えば、ベルトコンベア６０が傾斜しており、飲料缶５０が器具固定部２６０の下方付近まで搬送されたときに、器具固定部２６０が飲料缶５０の巻き締め縁部５４の上端部から約０．２ｍｍ隔てた位置に配置されており、飲料缶５０が器具固定部２６０の下方を通過することにより、器具１００を飲料缶５０に取付けるようにしてもよい。
【図面の簡単な説明】
【００３６】
【図１】本考案による缶用付属品取付け器具の実施例を示す図である。
【図２】本実施例による器具１００の上蓋１０を示す概略図である。
【図３】本実施例による器具１００の下蓋２０を示す概略図である。
【図４】本実施例による器具１００が飲料缶５０に取付けられた状態を示す図である。
【図５】本考案による取付け装置の実施例を示す図である。
【符号の説明】
【００３７】
１０    上蓋
１１    上底面
１２    側面
１３    突起部
１４ａ，１４ｂ    凸部
２０    下蓋
２１    下底面
２２    収納部
２３ａ，２３ｂ    凹部
５０    飲料缶
５２    プルトップ
５３    上面板
５４    巻き締め縁部
５５    噛み締め部
１００    器具
１５０    景品付き缶
２００    取付け装置
Ａ    景品
【図１】
0003108964.tif 000003
【図２】
0003108964.tif 000004
【図３】
0003108964.tif 000005
【図４】
0003108964.tif 000006
【図５】
0003108964.tif 000007